(57)【特許請求の範囲】
【請求項１】
複数本の支柱と、これら支柱の間に掛け渡す梁とで構成されるフレーム構造体において、
前記フレーム構造体の設置面に載置される基盤と、
前記基盤に垂直方向に回動自在に取り付けられる支持棒と、
前記支持棒に高さ調節可能に取り付けられるエンドキャップとで構成され、
前記基盤は、基面に載置される第一の基盤と、前記第一の基盤に重ねて取り付けられる第二の基盤とで構成され、
前記第一の基盤は、上面に前記支持棒の回動面と直角方向の傾斜面を備え、
前記エンドキャップにフレーム構造体の支柱に固定するようにした、
支柱の立設装置。
【請求項２】
第一の基盤と第二の基盤とは、両者を挿通する硬質ゴムで連結された、請求項１記載の支柱の立設装置。
【請求項３】
請求項１又は２に記載の支柱の立設装置が、対向する直線に沿って各複数個設置され、
前記各立設装置に、支柱がその下端を固定して立設され、
隣接する支柱の下端部同士が下部側梁で、隣接する支柱の上端部同士が上部側梁でそれぞれ連結固定され、
対向する支柱の上部同士が間口側梁で連結固定された、
フレーム構造体。
【発明の詳細な説明】
【技術分野】
【０００１】
この発明は、立設した複数本の支柱と、これら支柱の間に掛け渡す梁とで構成されるフレーム構造体に関するものであり、特に支柱の立設構造に特徴を有するものである。
この発明のフレーム構造体は、ガレージの中に設置して使用することを主眼としたものであるが、設置場所はガレージに限られるものではない。住宅の居室に設置したり、展示会の展示ブースとしての使用、そして仮設店舗として屋外に設置して使用することもできる。
【背景技術】
【０００２】
従来からこの種のフレーム構造体や支柱の立設装置は種々提案されている。ところで、フレーム構造体を組み立てる手順は、最初に複数本の支柱を立設し、次いで支柱間に梁を掛け渡すことになる。支柱を地面などに固定する構造の場合には、支柱が自立するが、支柱を地面などに固定しない構造の場合は、梁を掛け渡すまで支柱は自立せず、立設状態を保持するために個々の支柱を何らかの方法で支持しなければならない。一般には人が手で支えることになり、支柱の数だけの作業者が必要になる。
【０００３】
【特許文献１】特開２０１０−２８１０５３号公報  この公報には簡易建物に関する発明が開示されている。立設される複数の支柱と、梁などで構成される組み立て構造体であるが、支柱を立設するための工夫はされていない。
【特許文献２】特許第４０２９８１６号公報  この公報には簡易構造物に関する発明が開示されている。この発明は組み立て作業を容易にすることを課題とするものであるが、支柱を立設するための工夫はされていない。
【発明の開示】
【発明が解決しようとする課題】
【０００４】
この発明は、支柱の立設保持を容易とし、可及的に少ない作業者数でフレーム構造体の組み立てを可能とすることを課題とするものである。
【課題を解決するための手段】
【０００５】
この発明の支柱の立設装置は、複数本の支柱と、これら支柱の間に掛け渡す梁とで構成されるフレーム構造体において、支柱を立設するためのものであり、前記フレーム構造体の設置面に載置される基盤と、前記基盤に垂直方向に回動自在に取り付けられる支持棒と、前記支持棒に高さ調節可能に装着されるエンドキャップとで構成し、前記エンドキャップを支柱に固定するようにしたものである。
【０００６】
前記基盤は、フレーム構造体の設置面に載置するものであるが、載置状態を安定させるために、アンカーボルトなどで設置面に固着してもよい。
前記支持棒を垂直方向に回動自在としてあるのは、支柱を横倒しにした状態でエンドキャップに固定し、その後立ち上がらせるという作業を可能とするためである。したがって、このような作業が可能であれば、回動自在とするための具体的な構造は問わない。
前記エンドキャップを高さ調節可能としてあるのは、設置面に傾斜やひずみがある場合であっても、フレームの水平・垂直を得るためである。
【０００７】
基盤は、設置面に載置される第一の基盤と、前記第一の基盤に重ねて取り付けられる第二の基盤とで構成し、前記第一の基盤は、上面に前記支持棒の回動面と直角方向の傾斜面を備えた構成とする。
前記第一の基盤は、フレーム構造体の外側に向けて下降傾斜となるような向きで使用する。このことにより、立設された支柱にフレーム構造体の外側に向けた力が働く。
【０００８】
前記第一の基盤と第二の基盤とは、両者を挿通する硬質ゴムで連結することが好ましい（請求項２）。硬質ゴムで連結することにより第二の基盤は第一の基盤の傾斜面に沿って摺動可能となり、フレーム構造体の外側に向けた力がより有効に働く。また、摺動を補助するために、第一の基盤と第二の基盤との間にプラスチックフィルムを挟み込むとよい。
【０００９】
請求項３の発明は、請求項１又は２に記載の支柱の立設装置を使用したフレーム構造体であり、対向する直線に沿って各複数個の支柱の立設装置を設置し、前記各立設装置に支柱の下端を装着して立設し、隣接する支柱の下端部同士を下部側梁で、隣接する支柱の上端部同士を上部側梁でそれぞれ連結固定し、対向する支柱の上部同士を間口側梁で連結固定して構成する。
【発明の効果】
【００１０】
この発明によれば、基盤に支持棒を垂直方向に回動自在に取り付け、この支持棒にエンドキャップを取り付け、このエンドキャップに支柱の下端を固定するようにしたので、支持棒を水平に位置させて支柱を横倒しにした状態でエンドキャップに支柱を固定することができ、側梁の固定も設置面で行うことができる。したがって、エンドキャップへの支柱の取り付けや側梁の取り付けを一人で行うことができる。
そして、支柱は回動自在であるから、横倒し状態で取り付けられた支柱を立ち上がらせる作業も容易である。
前記エンドキャップは支持棒に高さ調節可能に取り付けてあるので、設置面に傾斜やひずみがあっても支柱を垂直に、また梁を水平に設置することができる。
【００１１】
基盤を、傾斜面を備えた第一の基盤と第二の基盤とで構成し、第一の基盤をフレーム構造体の外側に向けて下降傾斜となるような向きで使用すると、立設された支柱にフレーム構造体の外側に向けた力が働く。フレーム構造体の両側でそれぞれ外向きの力が働くので、フレーム構造体のひずみを阻止できる。
【図面の簡単な説明】
【００１２】
【図１】フレーム構造体の発明の実施例の全体図
【図２】支柱立設装置の斜視図
【図３】同じく正面図
【図４】同じく側面図
【図５】同じく分解斜視図
【図６】支柱立設装置の配置を示す平面図
【図７】水平確認作業を示す正面図
【図８】上部側梁の取付構造を示す斜視図
【図９】支柱の立設作業を示す図
【図１０】支柱を壁面に立てかけた状態の側面図
【図１１】支柱立設装置の別の実施例を示す分解斜視図
【発明を実施するための形態】
【００１３】
図１はこの発明実施例のフレーム構造体であり、左右両側に支柱立設装置Ａがそれぞれ３個ずつ同一直線上に配置してあり、各支柱立設装置Ａに支柱Ｂが取り付けられて立設してあり、隣接する支柱間には、下部に下部側梁Ｃが掛け渡して固定してあり、上端に上部側梁Ｄが掛け渡して固定してあり、左右の対向する支柱間には間口梁Ｅが掛け渡して固定してある。
【００１４】
図２ないし図４はこの発明の支柱立設装置Ａの詳細を示す図である。支柱立設装置Ａは、基盤１と基盤１に回動自在に取り付けられた支持棒２と、支持棒２に高さ調節可能に取り付けられたエンドキャップ３とで構成してある。
前記基盤１は、下層となる第一の基盤１ａと、それに重ねて固定された第二の基盤１ｂとを備え、第一の基盤１ｂにはカバー１ｃが取り付けてある。前記第一の基盤１ａは平面視略正方形で、設置時における壁側に向けて肉薄としてあり、その上面は傾斜面１１をなして、側面視略台形となっている。前記第二の基盤１ｂは平面視略正方形で、設置時における壁側に向けて肉厚としてあり、その下面は傾斜面１２をなして、側面視前記第一の基盤と逆向きの略台形となっており、二つの基盤を重ねた状態において、第二の基盤１ｂの上面が第一の基盤１ａの下面と平行になっている。
前記第一の基盤１ａは厚みの小さい側の端面に溝１３が形成してあり、反対側には突片１４が形成してある。そして、前記溝１３と突片１４に前記カバー１ｃが係止固定してある。
【００１５】
前記第一の基盤１ａの上面中央には連結柱装着用の筒１５ａが、前記第二の基盤１ｂの下面中央には円形凹部１５ｂが設けてあり、前記筒１５ａと円形凹部１５ｂに硬質ゴムの連結柱１６を挿入して第一の基盤１ａと第二の基盤１ｂとを連結してある。なお、両基盤の間にはプラスチックフィルム１７を介在させて、第二の基盤１ｂが設置時壁側に滑り移動しやすくしてある。
前記第二の基盤１ｂの上面には平面視コ字状の軸受け部１８が、第二の基盤１ｂの厚みの小さい側を開放させて取り付けてある。この軸受け部１８の対向する両壁に、軸受けとなる透孔１９が設けてある。
【００１６】
前記透孔１９に、支持棒２が軸支してある。支持棒２は全長に亘りネジ溝が刻まれており、その基端に筒体２１が固着してあり、この筒体２１に回転軸２２を挿通して、その両端を前記透孔１９に挿入して固定してある。
【００１７】
前記支持棒２にエンドキャップ３が取り付けてある。エンドキャップ３は、方形の基板３１の上方に平面視コ字状の側枠３２を固着し、内側に補強板３３を固着して構成してある。前記基板３１及び補強板３３の中央部に前記支持棒２が挿通する透孔が設けてあり、前記基板３１の下面及び補強板３３の上面をナット３４，３５で挟み込んで固定してある。前記二つのナットを操作することにより、エンドキャップ３の高さを調整することができる。
高さ調整のための構造としては、基板３１を肉厚の部材として支持棒２の挿入孔にメネジを設けて、エンドキャップを回すことによって高さを調節するようにすることなども考えられる。
【００１８】
支柱Ｂは鉄板を屈曲して形成したものであり、中空となっている。また、支柱の周面には多数の透孔が設けてあり（図示しない）、この透孔を利用してパネルや棚その他種々のオプション部材を取り付けることができるようにしてある。
この支柱Ｂの一端において、中空部に前記エンドキャップ３を挿入し、ビスで固定する。この作業は支柱を寝かせた状態で、設置面上で行い、その後支柱を立ち上がらせる。
【００１９】
以下、この発明の支柱立設装置を用いてフレーム構造体を組み立てる手順を説明する。以下においては、この発明の最も好ましい実施形態である、壁面に沿って設置する場合を中心に説明する。
【００２０】
ガレージ又は屋内の左右の壁面４に沿って、それぞれ３個の支柱立設装置Ａを設置面に等間隔で並べる。このとき、各支柱立設装置Ａは、その第一の基盤１ａの傾斜面１１が、壁面（フレーム構造体の外側）に向けて下降傾斜となるように載置する。また、両端の支柱立設装置のエンドキャップ３の高さをそろえ、中間の支柱立設装置のエンドキャップの高さは両端のものよりも低くしておく。
次いで、両端のエンドキャップ３の側枠３２の上端間に撓みのない板６を掛け渡し、この板に水準器７を載せて水平を確認する。水平でない場合は何れかのエンドキャップ３の高さを調節して水平を得る。その後中間のエンドキャップの高さを調節する（図７）。
【００２１】
次いで、前記３個の支柱立設装置Ａのエンドキャップ３を倒した状態として、これに支柱Ｂを取り付ける。支柱Ｂを取り付けた後、隣接する支柱Ｂ同士を、下部側梁Ｃ、上部側梁Ｄで連結する。下部側梁Ｃの取付は、支柱Ｂの側面に設けた係止孔に下部側梁Ｃの端部に形成したフックを係止して行う。上部側梁Ｄの取り付けは、支柱Ｂの上端に設けた係止部８１にジョイント金物８２を係止固定し、このジョイント金物８２に梁Ｄを固定する。
これらの作業は全て設置面で行うことができるので、一人で対応可能である。
【００２２】
先の作業によって、３本の支柱は上下の側梁によって連結されている。そこで、中央の支柱と上部側梁に手をかけて、３本の柱を立ち上がらせる。前記支柱立設装置Ａは支持棒２が回動自在なので、３本の柱は支持棒２の回転軸を中心としてまとまって回動する。すなわち、一度の作業で３本の支柱を立設することができる。
立ち上がらせた支柱と梁は壁面に立てかけて保持する。
次いで、反対側においても同様の作業を行う。
なお、壁面に沿って設置しない場合は、３本の支柱を一人の補助者が保持する必要がある。
【００２３】
左右両側の支柱及び側梁を組み立て、壁面に支持させた後、対向する支柱の上端に間口梁Ｅを取り付ける。
【００２４】
以上の通り、この発明の支柱立設装置を用いてフレーム構造体を組み立てる作業は、大部分を設置面で行うことができ、高所作業は間口梁の取り付け作業と補強部材の取り付け作業のみである。したがって、安全であり、全ての作業を一人で行うことも可能である。
【００２５】
このようにして組み立てたフレーム構造体は、支柱立設装置の第一の基盤が壁面に向けて次第に低くなる下降傾斜面を有しているので、外向きのテンションが発生する。すなわち、左右の柱には、反対方向のテンションが生じることとなり、組み立て状態が安定する。加えて支柱の上端と壁面との間にテンションバーを装着するならば、左右の支柱間のテンションとテンションバーによるテンションとが対向方向に働くので、支柱の立設状態は極めて強固となる。
【００２６】
図１１は支柱立設装置の別の例である。
すなわち、基板１にボール受けとなる透孔１９を設け、この透孔１９に支持棒２の下端に固着したボール２３を装着して構成してある。
【産業上の利用可能性】
【００２７】
この発明によれば、歪みのないフレーム構造体を、高所作業を殆ど必要とせずに、可及的に少ない人数で組み立てることができる。そして、支柱にパネルや棚その他のオプション部材を取り付けることにより、ガレージや家屋の柱や壁を傷つけることなく、好みの設備を施すことができる。
例えば、ガレージに設置して自動車整備用の工具類を棚に並べたり、梁にスクリーンを取り付けて映画鑑賞の場としたり、室内に設置して周囲を防音材で囲って音楽用などの防音室としたりなど様々な利用方法に対応できる。
【符号の説明】
【００２８】
Ａ 支柱立設装置
Ｂ 支柱
Ｃ 下部側梁
Ｄ 上部側梁
Ｅ 開口梁
１ 基盤
１１ 傾斜面
１２ 傾斜面
１６ 連結柱
１７ プラスチックフィルム
２ 支持棒
３ エンドキャップ
４ 壁面
【要約】
【課題】この発明は、支柱の立設保持を容易とし、可及的に少ない作業者数でフレーム構造体の組み立てを可能とすることを課題とするものである。
【解決手段】この発明の支柱立設装置Ａは、複数本の支柱Ｂと、これら支柱の間に掛け渡す梁Ｃ、Ｄ、Ｅとで構成されるフレーム構造体において、支柱Ｂを立設するためのものであり、前記フレーム構造体の設置面に載置される基盤１と、前記基盤に垂直方向に回動自在に取り付けられる支持棒２と、前記支持棒に高さ調節可能に装着されるエンドキャップ３とで構成し、前記エンドキャップ３を支柱Ｂに固定するようにしたものである。
【選択図】図５【図１】
0005552556.tif 000002
【図２】
0005552556.tif 000003
【図３】
0005552556.tif 000004
【図４】
0005552556.tif 000005
【図５】
0005552556.tif 000006
【図６】
0005552556.tif 000007
【図７】
0005552556.tif 000008
【図８】
0005552556.tif 000009
【図９】
0005552556.tif 000010
【図１０】
0005552556.tif 000011
【図１１】
0005552556.tif 000012